【事件の表示】
　特願２０１１−　５３７１６「画像表示装置，映像信号供給装置，表示方法および表示プログラム」拒絶査定不服審判事件〔平成２３年　８月１１日出願公開，特開２０１１−１５４３８２〕について，次のとおり審決する。
【結　論】
　本件審判の請求は，成り立たない。
【理　由】
第１　手続の経緯
平成１３年　１月１０日　　：原出願（特願２００１−５５２１８４号）
（優先権　平成１２年１月１２日，同年２月２２日）
平成２３年　３月１１日　　：分割出願（本件出願）
平成２４年　９月１４日付け：拒絶理由通知（同年同月２５日発送）
平成２４年１１月１９日　　：意見書
平成２４年１１月１９日　　：手続補正書
平成２５年　１月２３日付け：拒絶査定（同年同月２９日送達）
平成２５年　４月３０日　　：手続補正書（以下「本件補正」という。）
平成２５年　４月３０日　　：審判請求
　
第２　補正却下の決定
［結論］
　本件補正を却下する。
　
［理由］
　１　補正の内容
　(1) 本件補正前の特許請求の範囲
　本件補正前の特許請求の範囲の請求項７の記載は，以下のとおりである。
「【請求項７】
　複数のデータ処理装置からそれぞれ供給された複数の映像を表示手段に対して同時に表示させる表示ステップと，
　上記表示手段の表示に対応したユーザーからの位置の指定を入力デバイスで受け付ける入力ステップと，
　上記入力ステップによって指定された上記表示手段上の表示に対応する位置に基づいて，上記表示手段に表示される上記複数の映像の境界を移動させるよう制御する制御ステップと，
　上記入力デバイスから供給された制御信号を上記複数のデータ処理装置に出力し，上記入力ステップにおいて指定された上記表示手段上の表示に対応する位置が上記表示手段に表示されている上記複数の映像の境界を跨ぐか否かの判定結果に基づいて，上記入力デバイスからの制御信号の出力先を，アクティブ状態となっている一の上記データ処理装置から他の上記データ処理装置に切り替えることにより，アクティブな状態の上記データ処理装置を上記一のデータ処理装置から上記他のデータ処理装置に変更する出力制御ステップと
からなる表示方法。」
　
　(2) 本件補正後の特許請求の範囲
　本件補正後の特許請求の範囲の請求項５は，以下のとおりである。
下線
「
【請求項５】
，さらに，上記複数のデータ処理装置の動作を概略的に示す情報を上記表示手段に表示させ
　上記表示手段の表示に対応したユーザーからの位置の指定を入力デバイスで受け付ける入力ステップと，
　上記入力ステップによって指定された上記表示手段上の表示に対応する位置に基づいて，上記表示手段に表示される上記複数の映像の境界を移動させるよう制御する制御ステップと，
　上記入力デバイスから供給された制御信号を上記複数のデータ処理装置に出力し，上記入力ステップにおいて指定された上記表示手段上の表示に対応する位置が上記表示手段に表示されている上記複数の映像の境界を跨ぐか否かの判定結果に基づいて，上記入力デバイスからの制御信号の出力先を，アクティブ状態となっている一の上記データ処理装置から他の上記データ処理装置に切り替えることにより，アクティブな状態の上記データ処理装置を上記一のデータ処理装置から上記他のデータ処理装置に変更する出力制御ステップと
からなる表示方法。」
　
　(3) 本件補正の目的
　本件補正は，本件補正前の請求項７に係る発明（以下「本願発明」という。）を特定するために必要な事項である「複数のデータ処理装置からそれぞれ供給された複数の映像を表示手段に対して同時に表示させる表示ステップ」を，「複数のデータ処理装置からそれぞれ供給された複数の映像を表示手段に対して同時に表示させ
，さらに，上記複数のデータ処理装置の動作を概略的に示す情報を上記表示手段に表示させ
　本件補正は，平成１８年法律第５５号改正附則３条１項によりなお従前の例によるとされる同法による改正前の特許法１７条の２第４項２号に掲げる特許請求の範囲の減縮を目的とする補正に該当する。
　そこで，本件補正後の特許請求の範囲の請求項５に係る発明が特許出願の際に独立して特許を受けることができるものであるかについて，以下に検討する。
　
　２　独立特許要件
　(1) 引用例に記載の事項
　本件出願の最も早い優先日（以下，単に「優先日」という。）前に頒布された刊行物である特開平１１−１６７４７９号公報（発明の名称：「多入力モニタ装置」，出願人：「株式会社日立製作所」，公開日：平成１１年（１９９９）６月２２日，以下「引用例」という。）には，図面とともに，以下の事項が記載されている。
　ア　「【０００１】
【発明の属する技術分野】本発明は，表示装置に関し，特に，パーソナルコンピュータ（ＰＣ），ワークステーション（ＷＳ）などの情報処理装置に接続されるモニタ装置に関する。」
　
　イ　「【０００９】図１に，本発明の一実施形態であるモニタ装置の使用例を示す。
【図１】
【００１０】図１において，モニタ装置１は，液晶モニタなどであり，第１および第２の情報処理装置（以下，ＰＣという）２および３に接続され，これらからの表示データおよび通信データを受け付ける第１および第２のインタフェース部と，前記表示データを表示画面に表示する表示部とを備える。第１ＰＣ２および第２ＰＣ３は，表示データおよび通信データを生成し，生成した表示データおよび通信データを転送する。
【００１１】また，第１ＰＣ２には，ユーザからの指示を受け付けるユーザインタフェースのキーボード４およびマウス５が接続される。キーボード４およびマウス５は，第１ＰＣ２における指示受け付けるとともに，第２ＰＣ３における指示も受けつける。
【００１２】図１において，モニタ装置１には，第１ＰＣ２から転送される表示データおよび通信データに基づく表示画面上に，第２ＰＣ３から転送される表示データおよび通信データに基づく表示をウィンドウ表示する。」
　
　ウ　「【００１３】図２に，本実施の形態におけるモニタ装置の画面の表示例を示す。
【図２】
【００１４】図２において，表示画面６は，第１ＰＣ２から転送された表示データおよび通信データに基づく表示画面であり，例えば，１０２４×７６８ドットの解像度とする。表示画面７は，第２ＰＣ３から転送された表示データおよび通信データに基づく表示画面であり，最初は第２ＰＣにより指示された表示解像度，例えば，６４０×４８０ドットで表示しているものとする。また，図２において，８はウィンドウ表示左上端の垂直方向座標，９はウィンドウ表示の垂直方向の大きさ，１０はウィンドウ表示左上端の水平方向座標，１１はウィンドウ表示の水平方向の大きさをそれぞれ示す。上述した解像度の場合，ウィンドウ表示の水平方向の大きさ１１と，垂直方向の大きさ９とは，最初は各々６４０，４８０ドットである。マウスカーソル１２は，第１ＰＣ２のマウスによりコントロールされる。例えば，マウスカーソル１２によって表示画面７のウィンドウ位置が変更された場合は，ウィンドウ表示左上端の垂直方向座標８および水平方向座標１０が変更され，第２ＰＣ表示画面７の位置が変更される。ウィンドウサイズが変更された場合は，垂直方向の大きさ９および水平方向の大きさ１１が変更され，第２ＰＣ表示画面７はそれに従った表示となる。ファイル等を移動，コピーする場合は，マウスカーソル１２によってファイルを画面上で移動することにより，第１ＰＣ２から第２ＰＣ３へ，あるいは第２ＰＣ３から第１ＰＣ２へとファイルのデータが転送される。」
　
　エ　「【００１５】図３に，本発明の実施の形態におけるモニタ装置のブロック図を示す。
【図３】
【００１６】図３において，第１ＰＣコネクタ１３は，第１のＰＣにおけるモニタ接続用のコネクタであり，第１表示データ１４は第１のＰＣから転送される表示データであり，第１通信データ１５は第１のＰＣとモニタ装置間で送受信される通信データである。第２ＰＣコネクタ１６は，第２のＰＣにおけるモニタ接続用のコネクタであり，第２表示データ１７は第２のＰＣから転送される表示データであり，第２通信データ１８は第２のＰＣとモニタ装置間で送受信される通信データである。第１モニタコネクタ１９は，モニタ装置１が備えるモニタ接続用のコネクタであり，第２モニタコネクタ２０は，第１モニタコネクタ１９と同様のインタフェースを備える。第１ＰＣ２と，第２ＰＣ３とは，同様のインタフェースであるモニタ接続用の第１ＰＣコネクタ１３と，第２ＰＣコネクタ１６とを各々備える。第１ＰＣコネクタ１３および第１モニタコネクタ１９は，第１表示データ１４および第１通信データ１５を送受信するインタフェースである。第２ＰＣコネクタ１６および第２モニタコネクタ２０は，第２表示データ１７および第２通信データ１８をを送受信するインタフェースである。第１表示データ１４および第２表示データ１７は，カラー表示のための表示データであり，ここでは，小電圧差動信号（ＬＶＤＳ）方式で送られてくる各色８ビットのカラーデータとする。また，第１通信データ１５および第２通信データ１８は，各ＰＣからの制御情報や，キーボード，マウス等の入力手段の指示情報をやり取りする制御データであり，ここでは，ＵＳＢ（Ｕｎｉｖｅｒｓａｌ  Ｓｅｒｉａｌ Ｂｕｓ）と呼ばれるシリアル通信とする。」
　
　オ　「【００１７】次に，モニタ装置１の内部構成を説明する。図４に，モニタ装置１の内部構成の一実施の形態である。
【図４】
【００１８】図４において，通信制御部２１は，第１ＰＣ２と第２ＰＣ３との通信データの制御を行う。第２解像度信号２２は，第２ＰＣ３についてのウィンドウ画面の解像度を示す。表示位置指定信号２３は，第２ＰＣ３のウィンドウ画面について表示画面６上の位置を示す。表示制御部２４は，第１ＰＣ２と第２ＰＣ３との表示画面の制御を行う。液晶表示データ２５は，液晶ディスプレイ２６に表示させるためのデータである。通信制御部２１は，第１ＰＣ２と第２ＰＣ３間のファイルのやり取りを，第１通信データ１５および第２通信データ１８を介して行う。また，通信制御部２１は，第１ＰＣ２と第２ＰＣ３との表示画面を重ね合わせ表示する場合に，ウィンドウの位置情報を，第１通信データ１５を介して受け取り，第２ＰＣ３の表示を重ね合わせする大きさ（解像度）を示す第２解像度信号２２と，重ね合わせする位置を示す表示位置信号２３とを表示制御部２４へ出力する。第１ＰＣ２から送られてくるウィンドウの位置情報及び解像度情報は，ウィンドウの左上点の座標情報，垂直方向ライン数，水平方向ドット数により示され，各々シリアルデータで転送される。また，通信制御部２１が出力する表示位置信号２３は，第１ＰＣ２の画面を表示する場合に“０”，第２ＰＣ３の画面を表示する場合に“１”となる１ビットの信号を指示する。また，解像度信号２２は横方向ドット数を１０ビット，縦方向ドット数を１０ビットで表す信号とする。
【００１９】また，本実施の形態では，第１ＰＣ２に接続されているマウスで受け付けた指示を，重ね合わせ表示した第２ＰＣ３の表示画面上でも有効にするため，モニタ装置１は，マウス情報を，第１通信データ１５を介して受け取り，第２通信データ１８を介して第２ＰＣ３へ出力する。表示制御部２４は，第１ＰＣ２の表示データ１４に，第２ＰＣ３の表示データ１７を，表示位置信号２３に従って重ね合わせ表示をするように処理をし，液晶表示データ２５として出力する。マウスで受け付けた指示により，第１通信データ１５を介して，重ね合わせ表示のウィンドウの大きさが変更された場合は，通信制御部２１は，第１通信データ１５から第２解像度信号を抽出し，第２解像度信号２２介して解像度情報が送り，表示制御部２４が解像度変換を行う。液晶ディスプレイ２６は，液晶表示データ２５に従って表示を行う。液晶ディスプレイ２６の解像度は，ここでは，１０２４×７６８ドットとし，インタフェースは第１ＰＣ２および第２ＰＣ３とも同様に，ＬＶＤＳ信号とする。」
　
　カ　「【００２７】次に，通信制御部２１の構成を説明する。図７に，図４に記載した通信制御部２１の内部構成ブロック図を示す。
【図７】
【００２８】図７において，通信制御部２１は，第１通信データ１５または第２通信データ１７から，ウィンドウ表示情報４５，ファイル移動指示情報４６，第１ファイルデータ４７，第１キーボード情報４８，第１マウス情報４９，第２解像度情報５０および第２ファイルデータ５１の各々を識別する通信データ識別部５２と，ウィンドウ情報を生成するウィンドウ情報生成部５３とを備える。なお，ウィンドウ表示情報４５，ファイル移動指示情報４６，第１ファイルデータ４７，第１キーボード情報４８，第１マウス情報４９，第２解像度情報５０および第２ファイルデータ５１は，第１ＰＣ通信データ１５及び第２ＰＣ通信データ１７に含まれるデータの種類を示すものであり，信号線を示すものではない。これら種類は第１通信データ１５または第２通信データ１７に，識別子を付加することによって区別し，通信データ識別部５２によって識別する。ウィンドウ表示情報４５は，第１ＰＣ２で表示する第２ＰＣ３のウィンドウ表示の大きさと表示位置を表す情報を示す。ファイル移動指示情報４６は，ファイルの移動またはコピーする場合の，各々のＰＣへの書き込み，読み出しの指示やファイル名の情報を示す。第１ファイルデータ４７は，第１ＰＣ２から第２ＰＣ３へファイルがコピーまたは移動される場合のデータを示す。第１キーボード情報４８は，第１ＰＣ２に接続されたキーボード操作の情報を示し，第１マウス情報４９は，第１ＰＣ２に接続されたマウス操作の情報を示す。第２解像度情報５０は第２ＰＣ３の表示解像度を示す情報であり，第２ファイルデータ５１は，第２ＰＣ３から第１ＰＣ２へファイルがコピーまたは移動される場合のデータを示している。通信データ識別部５２は，第１通信データ１５または第２通信データ１７の識別子から，情報の伝達先を判断し，この伝達先に情報を伝送する。例えば，ウィンドウ表示情報４５はウィンドウ情報生成部５３へ伝送され，ファイル移動指示情報４６，第１ファイルデータ４７，第１キーボード情報４８および第１マウス情報４９は，第２通信データ１７として第２ＰＣ３へ伝送され，第２解像度情報５０および第２ファイルデータ５１は第１通信データ１５として第１ＰＣ２へ伝送される。ウィンドウ情報生成部５３は，ウィンドウ表示情報４５から，第２解像度信号２２および表示位置信号２３を生成する。」
　
　キ　「【００２９】つぎに，情報処理装置の内部構成について説明する。図８に，第１ＰＣ２の内部構成のブロック図を示す。
【図８】
【００３０】図８において，第１ＰＣ２は，第１ＣＰＵ５４と，第１記憶部５５と，第１ＰＣ通信制御部６５と，それらを接続させるための第１バス６３とを備える。また，５６はウィンドウ表示情報バスデータ，５７はファイル移動指示情報第１バスデータ，５８は第２解像度情報第１バスデータ，５９は第１ファイル第１バスデータ，６０は第２ファイル第１バスデータ，６１は第１キーボード情報第１バスデータ，６２は第１マウス情報第１バスデータ，６４は第１バスデータであり，各々データの種類を示している。第１ＣＰＵ５４および第１記憶部５５と第１バス６３との間は，バスインタフェースであり，ウィンドウ表示情報バスデータ５６，ファイル移動指示情報第１バスデータ５７，第２解像度情報第１バスデータ５８，第１キーボード情報第１バスデータ６１および第１マウス情報第１バスデータ６２が伝送される。第１ファイル第１バスデータ５９および第２ファイル第１バスデータ６０も同様に，第１記憶部５５と第１バス６３との間で伝送される。また，第１バス６３と第１ＰＣ通信制御部６５の間もバスインタフェースにより接続されている。
【００３１】第１ＣＰＵ５４は，第２ＰＣ３の表示をウィンドウ表示するときの大きさおよび表示位置を示す情報であるウィンドウ表示情報バスデータ５６を出力する。解像度の初期値は任意に設定しておいても良いし，キーボード４からユーザが設定することも可能である。ウィンドウの大きさや表示位置を変更した場合は，その都度，変更後の情報をウィンドウ表示情報バスデータ５６として出力する。また，第１ＰＣ２のファイルを第２ＰＣ３にコピーまたは移動したいときは，キーボード４もしくはマウス５からのユーザの指示に従って，第１ＣＰＵ５４は，第１記憶部５５へのファイル読み出し指示，第２ＰＣ３へのファイル書き込み指示，ファイル名等の情報をファイル移動指示情報第１バスデータ５７として第１記憶部５５および第１ＰＣ通信制御部６５へ出力し，第１記憶部５５は，それに従ったファイルのデータを第１ファイル第１バスデータ５９として出力する。逆に，第２ＰＣ３のファイルを第１ＰＣ２にコピーまたは移動したいときは，キーボード４，マウス５からのユーザの指示に従って，第１記憶部５５へのファイル書き込み指示，第２ＰＣ３へのファイル読み出し指示，ファイル名等の情報をファイル移動指示情報第１バスデータ５７として第１記憶部５５および第１ＰＣ通信制御部６５へ出力する。第１記憶部５５は，第２ＰＣ３からのファイルデータである第２ファイル第１バスデータ６０を受け取る。キーボード４またはマウス５からの指示情報はキーボード情報第１バスデータ６１，マウス情報第１バスデータ６２を介して第１ＣＰＵ５４に送られる。上記ファイルのコピー，移動等も，キーボード４もしくはマウス５から指示されることになる。
【００３２】第１ＰＣ通信制御部６３は，第１バスデータ６４から入力されるデータであるウィンドウ表示情報バスデータ５６，ファイル移動指示情報第１バスデータ５７，第１ファイル第１バスデータ５９，キーボード情報第１バスデータ６１またはマウス情報第１バスデータ６２を，各々識別子のついたシリアルデータであるウィンドウ表示情報４５，ファイル移動指示情報４６，第１ファイルデータ４７，第１キーボード情報４８または第１マウス情報４９に変換し，第１通信データ１５として出力する。また，第１ＰＣ通信制御部６３は，第１通信データ１５から入力されるデータである第２解像度情報５０または第２ファイルデータ５１を，各々の識別子から第２ＰＣ３の解像度情報か，ファイルデータかを識別し，第２解像度情報第１バスデータ５８または第２ファイル第１バスデータ６０に変換し，第１バスデータ６４，第１バス６３を介して各々第１ＣＰＵ５４および第１記憶部５５に出力する。」
　
　ク　「【００３９】図２において，第２ＰＣ表示画面７は，第１ＰＣ表示画面６上にウィンドウ表示されていることを示している。表示位置は第２ＰＣ表示画面左上端垂直方向座標８と，水平方向座標１０によって決定され，大きさは第２ＰＣ表示画面垂直方向大きさ９と，水平方向大きさ１１とによって決定される。どちらも第１ＰＣ２によって制御される。マウスカーソル１２は，第１ＰＣ２に接続されたマウス５のカーソルであり，第１ＰＣ表示画面上６のアイコンの操作はもちろん，第２ＰＣ表示画面７の移動，大きさの変更等のウィンドウ操作，第２ＰＣ表示画面７上のアイコンの操作も可能とし，マウスカーソル１２でファイルアイコンをクリックしながら，第１ＰＣ画面６上のファイルをウィンドウ内の第２ＰＣ画面７上に移動したり，第２ＰＣ画面７上のファイルをウィンドウ外の第１ＰＣ画面６上に移動することにより，第１ＰＣ２と第２ＰＣ３間のファイルのやり取りが可能となる。」
　
　ケ　「【００５０】また，図８に示す，第１キーボード情報第１バスデータ６１または第１マウス情報第１バスデータ６２は，第１バス６３および第１バスデータ６４を介して第１ＰＣ通信制御部６５に入力される。第１ＰＣ通信制御部６５は，各々にキーボード情報，マウス情報であることを示す識別子を付加したシリアルデータである第１キーボード情報４７または第１マウス情報４８に変換し，第１通信データ１５を介して出力する。これらの情報は，キーボード４またはマウス５で受け付けた指示を，第１ＰＣ２の表示画面内にウィンドウ表示される第２ＰＣ３の表示画面上でも有効とするためのものである。」
　
　コ　「【００６６】次に，第２ＰＣ３から第１ＰＣ２へファイルを移動する場合について説明する。
【００６７】図２において，第２表示画面７内の移動したいファイルのアイコンを，マウスカーソル１２でクリックしながら第１表示画面６内へ移動させる。
【００６８】図８でに示すマウス５の動きは，第１マウス情報第１バスデータ６２および第１バス６３を介して第１ＣＰＵ５４へ伝送される。ファイルの移動を認識した第１ＣＰＵ５４は，ファイルの第１記憶部６７の書き込み，第２ＰＣ３の読み出し，ファイル名を指示するファイル移動指示情報第１バスデータ５７として，第１バス６３を介して第１記憶部５５へ出力する。また，同時に第１バス６３および第１バスデータ６４を介してファイル移動指示情報第１バスデータ５７を第１ＰＣ通信制御部６５へ出力する。第１記憶部５５は，書き込みの指示を受け，第２ファイル第１バスデータ６０を待つ。第１ＰＣ通信制御部６５は，ファイル移動指示情報第１バスデータ５７を，ファイル移動情報であることを示す識別子を付加したパラレルデータであるファイル移動指示情報４６に変換し，第１通信データ１５として出力する。
【００６９】図７に示すモニタ装置の通信データ識別部５２は，第１通信データ１５として送られてくるファイル移動指示情報４６を，識別子からファイル移動情報であることを認識し，送り先を第２ＰＣ３とする第２通信データ１７として出力する。
【００７０】図９に示す第２ＰＣ通信制御部７７では，第２通信データ１７として送られてくるファイル移動指示情報４６を，識別子からファイル移動情報であることを認識し，第１ＰＣ２へファイルデータを送ることを第２ＣＰＵ６６に知らせるためのファイル移動指示情報第２バスデータ７０に変換し，第２バスデータ７６および第２バス７５を介して，第２ＣＰＵ６６へ出力する。
【００７１】第２ＣＰＵ６６は，ファイル移動指示情報第２バスデータ７０から，第２記憶部６７から指示されたファイルを第２ファイル第２バスデータ７３として読み出すための第２ファイル移動指示情報第２バスデータ６９を，第２バス７５を介して，第２記憶部６７に出力する。
【００７２】第２記憶部６７は，第２ファイル移動指示情報第２バスデータ６９に従って，指示されたファイルを読み出し，第２ファイル第２バスデータ７３として，第２バス７５および第２バスデータ７６を介して，第２ＰＣ通信制御部７７へ出力する。
【００７３】第２ＰＣ通信制御部７７は，第２ファイル第２バスデータ７３を，ファイルデータであることを示す識別子を付加したパラレルデータである第２ファイルデータ５１に変換し，第２通信データ１７として出力する。
【００７４】図７に示すモニタ装置の通信データ識別部５２は，第２通信データ１７として送られてくる第２ファイルデータ５１を，識別子からファイルデータであることを認識し，送り先を第１ＰＣ２とする第１通信データ１５として出力する。
【００７５】図８に示す第１ＰＣ通信制御部６５は，第１通信データ１５として送られてくる第２ファイルデータ５１を，識別子からファイルデータであることを認識し，第２ファイル第１バスデータ６０に変換し，第１バスデータ６４および第１バス６３を介して，第１記憶部５５へ出力する。
【００７６】第１記憶部５５は，先に説明したファイル移動指示情報第１バスデータ５７に従って，第２ファイル第１バスデータ６０を書き込みむ。このような処理により，第２ＰＣ３から第１ＰＣ２へのファイル移動が完了する。」
　
　
　サ　「【００７７】本実施の形態によって得られる効果を簡単に説明すれば，以下のとおりである。
【００７８】第２ＰＣの表示画面を第１ＰＣの表示画面上にウィンドウ表示するための制御部を，モニタ装置に設けたことにより，携帯性には優れているが，表示画面が小さいノートＰＣのような機器を，大画面のモニタ装置に簡単に接続させることができ，その表示が可能となる。また，第１ＰＣに接続したキーボードや，マウス等の入力手段の通信データや，ＰＣ間のファイルのやり取り等の通信データを制御するための制御部を設けたことにより，第１ＰＣのキーボード，マウス等の入力手段の通信データが，第２ＰＣでも有効となり，ウィンドウ表示した画面上で，キーボード，マウス等を使って，第１ＰＣと第２ＰＣ間のファイル転送を容易に行うことが可能となる。
【００７９】また，第３の情報処理装置をモニタ装置に接続させる場合には，上述した構成と同様に，モニタ装置に第３モニタコネクタを設け，各情報処理装置間を通信データが送受信できるように，通信制御部で制御することにより，第３の情報処理装置における表示画面をモニタ装置にウィンドウ表示させることができる。この場合，第１ＰＣにおいて，第２および第３のＰＣにおけるウィンドウ表示のコントロールを行わせるようにできる。本実施の形態によれば，マスタとなる情報処理装置を１台設けておくことにより，他の情報処理装置における表示画面の制御を行うことができる。
【００８０】また，上述した第１および第２の情報処理装置において，上述した通信制御部における機能をアプリケーションソフトウエアにより実現してもよい。
【００８１】
【発明の効果】本発明によれば，複数の情報処理装置を接続させることができる多入力モニタ装置を実現できる。また，モニタ装置において，複数の情報処理装置間のデータ転送を制御することができる。」
　
　(2) 引用発明
「　モニタ装置１は，第１ＣＰＵを具備する第１ＰＣ２から転送される表示データおよび通信データに基づく表示画面６上に，第２ＣＰＵを具備する第２ＰＣ３から転送される表示データおよび通信データに基づく表示画面７をウィンドウ表示し，
　キーボード４およびマウス５は，第１ＰＣ２における指示を受け付けるとともに，第２ＰＣ３における指示も受けつけ，キーボード４またはマウス５からの指示情報は第１キーボード情報第１バスデータ６１，第１マウス情報第１バスデータ６２を介して第１ＣＰＵ５４に送られ，キーボード４またはマウス５で受け付けた指示を，第１ＰＣ２の表示画面内にウィンドウ表示される第２ＰＣ３の表示画面上でも有効とするため，第１キーボード情報４８および第１マウス情報４９は，第２通信データ１７として第２ＰＣ３へ伝送され，マウスカーソル１２は，第１ＰＣ２に接続されたマウス５のカーソルであり，第１ＰＣ表示画面上６のアイコンの操作はもちろん，第２ＰＣ表示画面７上のアイコンの操作も可能とし，
　マウスカーソル１２によって表示画面７のウィンドウ位置が変更された場合は，ウィンドウ表示左上端の垂直方向座標８および水平方向座標１０が変更され，第２ＰＣ表示画面７の位置が変更され，
　ファイル等を移動，コピーする場合は，マウスカーソル１２によってファイルを画面上で移動することにより，第１ＰＣ２から第２ＰＣ３へ，あるいは第２ＰＣ３から第１ＰＣ２へとファイルのデータが転送され，第２ＰＣ３から第１ＰＣ２へファイルを移動する場合，第２表示画面７内の移動したいファイルのアイコンを，マウスカーソル１２でクリックしながら第１表示画面６内へ移動させ，マウス５の動きは，第１マウス情報第１バスデータ６２および第１バス６３を介して第１ＣＰＵ５４へ伝送され，ファイルの移動を認識した第１ＣＰＵ５４は，ファイルの第１記憶部６７の書き込み，第２ＰＣ３の読み出し，ファイル名を指示するファイル移動指示情報第１バスデータ５７を，第１バス６３を介して第１記憶部５５へ出力し，第１記憶部５５は，先に説明したファイル移動指示情報第１バスデータ５７に従って，第２ファイル第１バスデータ６０を書き込み，第２ＰＣ３から第１ＰＣ２へのファイル移動が完了し，
　第２ＰＣの表示画面を第１ＰＣの表示画面上にウィンドウ表示するための制御部を，モニタ装置に設けたことにより，携帯性には優れているが，表示画面が小さいノートＰＣのような機器を，大画面のモニタ装置に簡単に接続させることができ，その表示が可能となり，また，第１ＰＣに接続したキーボードや，マウス等の入力手段の通信データや，ＰＣ間のファイルのやり取り等の通信データを制御するための制御部を設けたことにより，第１ＰＣのキーボード，マウス等の入力手段の通信データが，第２ＰＣでも有効となり，ウィンドウ表示した画面上で，キーボード，マウス等を使って，第１ＰＣと第２ＰＣ間のファイル転送を容易に行うことが可能となる，
　モニタ装置において，複数の情報処理装置間のデータ転送を制御すること。」
　
　(3) 対比
　本件補正後発明と引用発明を対比すると，以下のとおりとなる。
　ア　表示ステップ
　引用発明は，「モニタ装置１は，第１ＣＰＵを具備する第１ＰＣ２から転送される表示データおよび通信データに基づく表示画面６上に，第２ＣＰＵを具備する第２ＰＣ３から転送される表示データおよび通信データに基づく表示画面７をウィンドウ表示し」の構成を具備する。
　そして，ＰＣのＣＰＵがデータ処理を行う装置であることを技術常識として勘案すると，本件補正後発明と引用発明は，「複数のデータ処理装置からそれぞれ供給された複数の映像を表示手段に対して同時に表示させる表示ステップ」の点で共通する。
　
　イ　入力ステップ
　引用発明は，「キーボード４およびマウス５は，第１ＰＣ２における指示を受け付けるとともに，第２ＰＣ３における指示も受けつけ」の構成を具備する。
　そして，表示画面上におけるマウスの動作を技術常識として勘案すると，引用発明の「キーボード４およびマウス５は，第１ＰＣ２における指示を受け付けるとともに，第２ＰＣ３における指示も受けつけ」の構成は，本件補正後発明の「上記表示手段の表示に対応したユーザーからの位置の指定を入力デバイスで受け付ける入力ステップ」に相当する。
　
　ウ　制御ステップ
　引用発明は，「マウスカーソル１２によって表示画面７のウィンドウ位置が変更された場合は，ウィンドウ表示左上端の垂直方向座標８および水平方向座標１０が変更され，第２ＰＣ表示画面７の位置が変更され」の構成を具備する。
　表示画面７のウィンドウ位置が変更されれば，表示画面６と表示画面７の境界が変更されることとなるから，引用発明の「マウスカーソル１２によって表示画面７のウィンドウ位置が変更された場合は，ウィンドウ表示左上端の垂直方向座標８および水平方向座標１０が変更され，第２ＰＣ表示画面７の位置が変更され」の構成は，本件補正後発明の「上記入力ステップによって指定された上記表示手段上の表示に対応する位置に基づいて，上記表示手段に表示される上記複数の映像の境界を移動させるよう制御する制御ステップ」に相当する。
　なお，本件補正後発明は，その具体的実施態様においては，「表示ステップ」が，「複数のデータ処理装置からそれぞれ供給された複数の映像を表示手段に対して同時に
左右２分割で
上記表示手段の表示領域の端に対応する位置である時，
下線部のような事項
　
　エ　出力制御ステップ
　引用発明は，「キーボード４またはマウス５からの指示情報は第１キーボード情報第１バスデータ６１，第１マウス情報第１バスデータ６２を介して第１ＣＰＵ５４に送られ」及び「キーボード４またはマウス５で受け付けた指示を，第１ＰＣ２の表示画面内にウィンドウ表示される第２ＰＣ３の表示画面上でも有効とするため，第１キーボード情報４８および第１マウス情報４９は，第２通信データ１７として第２ＰＣ３へ伝送され」の構成を具備する。したがって，引用発明は，本件補正後発明の「上記入力デバイスから供給された制御信号を上記複数のデータ処理装置に出力し」に相当する構成を具備する。
　また，引用発明では，「マウスカーソル１２は，第１ＰＣ２に接続されたマウス５のカーソルであり，第１ＰＣ表示画面上６のアイコンの操作はもちろん，第２ＰＣ表示画面７上のアイコンの操作も可能とし」ているところ，「第２ＰＣ３から第１ＰＣ２へファイルを移動する場合」には，引用発明において，「第２表示画面７内の移動したいファイルのアイコンを，マウスカーソル１２でクリックしながら第１表示画面６内へ移動させ」る操作が行われ，「マウス５の動きは，第１マウス情報第１バスデータ６２および第１バス６３を介して第１ＣＰＵ５４へ伝送され，ファイルの移動を認識した第１ＣＰＵ５４は，ファイルの第１記憶部６７の書き込み，第２ＰＣ３の読み出し，ファイル名を指示するファイル移動指示情報第１バスデータ５７を，第１バス６３を介して第１記憶部５５へ出力し，第１記憶部５５は，先に説明したファイル移動指示情報第１バスデータ５７に従って，第２ファイル第１バスデータ６０を書き込み，第２ＰＣ３から第１ＰＣ２へのファイル移動が完了」する。したがって，引用発明は，例えば，第２ＰＣ３から第１ＰＣ２へファイルを移動する場合に，マウスによって操作可能な状態のＰＣが，第２ＰＣから第１ＰＣに変更されている。そうしてみると，引用発明は，本件補正後発明の「上記入力デバイスからの制御信号の出力先を，アクティブ状態となっている一の上記データ処理装置から他の上記データ処理装置に切り替えることにより，アクティブな状態の上記データ処理装置を上記一のデータ処理装置から上記他のデータ処理装置に変更する出力制御ステップ」に相当する構成を具備する。
　
　オ　表示方法
　以上の対比結果を勘案すると，引用発明の「モニタ装置において，複数の情報処理装置間のデータ転送を制御すること」は，本件補正後発明の「表示方法」に相当する。
　
　そうしてみると，本件補正後発明と引用発明の一致点及び（一応の）相違点は，以下のとおりとなる。
（一致点）
「　複数のデータ処理装置からそれぞれ供給された複数の映像を表示手段に対して同時に表示させる表示ステップと，
　上記表示手段の表示に対応したユーザーからの位置の指定を入力デバイスで受け付ける入力ステップと，
　上記入力ステップによって指定された上記表示手段上の表示に対応する位置に基づいて，上記表示手段に表示される上記複数の映像の境界を移動させるよう制御する制御ステップと，
　上記入力デバイスから供給された制御信号を上記複数のデータ処理装置に出力し，上記入力デバイスからの制御信号の出力先を，アクティブ状態となっている一の上記データ処理装置から他の上記データ処理装置に切り替えることにより，アクティブな状態の上記データ処理装置を上記一のデータ処理装置から上記他のデータ処理装置に変更する出力制御ステップと
からなる表示方法。」
　
（相違点１）
　本件補正後発明は，「上記複数のデータ処理装置の動作を概略的に示す情報を上記表示手段に表示させ」る表示ステップを具備するのに対して，引用発明は，これが明らかではない点。
　
（相違点２）
　本件補正後発明は，「上記入力ステップにおいて指定された上記表示手段上の表示に対応する位置が上記表示手段に表示されている上記複数の映像の境界を跨ぐか否かの判定結果に基づいて」，上記入力デバイスからの制御信号の出力先を，アクティブ状態となっている一の上記データ処理装置から他の上記データ処理装置に切り替えることにより，アクティブな状態の上記データ処理装置を上記一のデータ処理装置から上記他のデータ処理装置に変更する出力制御ステップを具備するのに対して，引用発明は，これが明らかではない点。
　
　(4) 判断
　相違点についての判断は，以下のとおりである。
　
（相違点１について）
　ファイルの移動は，ファイル容量によっては時間を要するものであるから，引用発明の第２ＰＣ３から第１ＰＣ２へファイルを移動する場合において，「ＰＣ２からＰＣ１へファイルを移動中」などといった情報を表示することは，当業者が容易にできることである。
　そうしてみると，引用発明の表示ステップにおいて，相違点１に係る構成を採用することは，当業者における通常の創意工夫の範囲内の事項である。
　
（相違点２について）
　引用発明は「第２表示画面７内の移動したいファイルのアイコンを，マウスカーソル１２でクリックしながら第１表示画面６内へ移動させ」の構成を具備するから，引用発明の第２ＰＣ３から第１ＰＣ２へファイルを移動する場合において，マウスカーソルがファイルのアイコンとともに第２ＰＣのウィンドウと第１ＰＣのウィンドウの境界を跨いでいることは，引用例に「跨ぐ」という文言記載がなくとも，当業者ならば理解できる事項である。そして，引用発明は，「第２表示画面７内の移動したいファイルのアイコンを，マウスカーソル１２でクリックしながら第１表示画面６内へ移動させ」の処理が行われたとの判定結果に基づいて，マウスによってＰＣ２のアイコンを操作していた状態から第１ＰＣによるファイル移動制御に変更されており，「上記入力デバイスからの制御信号の出力先を，アクティブ状態となっている一の上記データ処理装置から他の上記データ処理装置に切り替えることにより，アクティブな状態の上記データ処理装置を上記一のデータ処理装置から上記他のデータ処理装置に変更する」出力制御が行われている。
　そうしてみると，引用発明において相違点２の構成を採用することは，引用発明のファイル移動に伴うアイコンの動作を理解した当業者が容易に為しうる事項である。
　引用例に明記が無いことに鑑みて念のために示すと，ウィンドウの境界を跨ぐか否かの判定結果に基づいて，アクティブウィンドウを切り替えることについては，例えば，特開平５−１４３２３８号公報の図２及び段落【０００５】，特開平３−２６０６９７号公報の１頁右下欄最終行ないし２頁左上欄４行，特開昭６２−１０２３１７号公報の特許請求の範囲の請求項１に開示されているように，オートレイズとも称される技術常識でもある。このような技術常識を考慮するとなおさら，引用発明において相違点２の構成を採用することは，当業者が容易に為しうる事項といえる。
　
　また，本件補正後発明が奏する効果は，引用発明から予測できる範囲内のものであって，顕著なものとはいえない。
　
　(5) 小括
　以上のとおり，本件補正後発明は，引用発明に基づいて当業者が容易に発明をすることができたものであるから，特許法２９条２項の規定により特許出願の際に独立して特許を受けることができないものである。
　
　(6) 付記：請求項１及び請求項６について
　請求項１についての補正は，本件補正後の請求項５と同様に，特許請求の範囲の減縮を目的とする補正である。そこで，本件補正後の請求項１に係る発明（以下「本件補正後請求項１発明」という。）の独立特許要件を検討すると，少なくとも本件出願の優先日において，モニタ一体型のＰＣは周知であるから，モニタ一体型のＰＣにおいて引用発明を具体化することは，引用発明が予定している事項である。また，この場合には，モニタ一体型ＰＣ，すなわち画像表示装置が，本件補正後発明の表示方法を行う装置となる。そうしてみると，本件補正後請求項１発明は，本件補正後発明と同様に，引用発明に基づいて当業者が容易に発明をすることができたものであるから，特許法２９条２項の規定により特許出願の際に独立して特許を受けることができないものである。
　さらにまた，本件補正前の請求項８を本件補正後の請求項６とする補正も，同様に，特許請求の範囲の減縮を目的とする補正である。そこで，本件補正後の請求項６に係る発明（以下「本件補正後請求項６発明」という。）の独立特許要件を検討すると，引用例には「上述した第１および第２の情報処理装置において，上述した通信制御部における機能をアプリケーションソフトウエアにより実現してもよい」と記載されている（段落【００８０】）。この場合，アプリケーションソフトウェアがマウスの動作をフックして，マウスの制御信号を第１ＣＰＵ又は第２ＣＰＵに送り，また，表示画面６上に表示画面７をウィンドウ表示する制御を行うこととなる。そうしてみると，本件補正後請求項６発明も，本件補正後発明及び本件補正後請求項１発明と同様に，引用発明に基づいて当業者が容易に発明をすることができたものであるから，特許法２９条２項の規定により特許出願の際に独立して特許を受けることができないものである。
　
　３　補正却下についてのまとめ
　したがって，本件補正は，平成１８年法律第５５号改正附則３条１項によりなお従前の例によるとされる同法による改正前の特許法１７条の２第５項において準用する同法１２６条５項の規定に違反するので，同法１５９条１項において読み替えて準用する同法５３条１項の規定により却下すべきものである。
　
第３　本願発明について
　１　本願発明
　本件補正は上記のとおり却下されたので，本件出願の請求項７に係る発明（本願発明）は，明細書及び図面の記載からみて，前記「第２」１(1)に記載されたとおりのものである。
　
　２　原査定の拒絶の理由
　原査定の拒絶の理由は，概略，この出願の請求項７に係る発明は，その優先日前に日本国内又は外国において頒布された引用例に記載された発明に基づいて，その優先日前にその発明の属する技術の分野における通常の知識を有する者が容易に発明をすることができたものであるから，特許法２９条２項の規定により特許を受けることができない，というものである。
　
　３　引用例に記載の事項及び引用発明
　引用例に記載の事項及び引用発明は，前記「第２」２(1)及び(2)に記載したとおりである。
　
　４　対比及び判断
　本願発明は，本件補正後発明を特定するために必要な事項である「表示ステップ」の構成において，「上記複数のデータ処理装置の動作を概略的に示す情報を上記表示手段に表示させる」との発明特定事項を省いたものである。
　そうしてみると，本願発明の構成を全て具備し，さらに，他の発明特定事項を付加したものに相当する本件補正後発明が，前記「第２」２(3)ないし(6)で述べたとおり，引用発明に基づいて当業者が容易に発明できたことを考慮すると，本願発明も同様に，引用発明に基づいて当業者が容易に発明できたものである。
　また，本願発明が奏する効果は，引用発明から予測できる範囲内のものであって，顕著なものとはいえない。
　本件出願の特許請求の範囲の請求項１及び８に係る発明も，同様である。
　
第４　まとめ
　以上のとおり，本件出願の特許請求の範囲の請求項１，７及び８に記載された発明は，その優先日前に日本国内又は外国において頒布された引用例に記載された発明に基づいて，その優先日前にその発明の属する技術の分野における通常の知識を有する者が容易に発明をすることができたものであるから，特許法２９条２項の規定により特許を受けることができない。
　したがって，他の請求項に係る発明について審理するまでもなく，本願は拒絶すべきものである。
　よって，結論のとおり審決する。